(57)【要約】【課題】個人情報が記入された用紙を紛失した場合や、用紙が盗難にあった場合においても、個人情報の漏洩を防止できる個人情報記入カード、個人情報管理システム、及び個人情報管理方法を提供すること。【解決手段】複数の部分情報により構成される個人情報が記入される個人情報記入部９を有する個人情報記入カードであって、個人情報記入部９は、個人情報記入カード１を複数の分割片１０に分割可能な分割部２と、複数の分割片１０それぞれに設けられ、それぞれに所定の部分情報が記入される複数の情報記入部１１と、複数の分割片１０それぞれに設けられる複数の識別表示部１２と、を備え、複数の識別表示部１２それぞれには、複数の分割片１０それぞれを互いに関連付ける第１識別情報、及び複数の識別表示部１２それぞれが設けられている分割片１０に記入される部分情報の種類を識別する第２識別情報が含まれる個人情報記入カード。【選択図】図１
2010211260.tif 000002
【特許請求の範囲】
【請求項１】
複数の部分情報により構成される個人情報が記入される個人情報記入部を有する個人情報記入カードであって、
前記個人情報記入部は、該個人情報記入カードを複数の分割片に分割可能な分割部と、
前記複数の分割片それぞれに設けられ、それぞれに所定の前記部分情報が記入される複数の情報記入部と、
前記複数の分割片それぞれに設けられる複数の識別表示部と、を備え、
前記複数の識別表示部それぞれには、該複数の分割片それぞれを互いに関連付ける第１識別情報、及び前記複数の識別表示部それぞれが設けられている前記分割片に記入される前記部分情報の種類を識別する第２識別情報が含まれる個人情報記入カード。
【請求項２】
前記複数の識別表示部には、バーコード化された前記第１識別情報及び前記第２識別情報が含まれる請求項１に記載の個人情報記入カード。
【請求項３】
請求項１又は２に記載の個人情報記入カードを用いた個人情報管理システムであって、
前記複数の分割片における前記情報記入部の画像情報及び前記識別表示部の画像情報を取得する画像取得部と、
前記画像取得部により取得された前記識別表示部の画像情報に基づいて前記第１識別情報及び前記第２識別情報を取得する識別情報取得部と、
前記情報記入部の画像情報と、該情報記入部が設けられた分割片の識別表示部の画像情報に基づいて取得された前記第１識別情報及び前記第２識別情報とを関連付けて記憶する記憶部と、
前記記憶部に記憶された前記情報記入部の画像、並びに前記第１識別情報及び前記第２識別情報に基づいて前記個人情報記入部の画像を合成する画像合成部と、を備える個人情報管理システム。
【請求項４】
請求項１又は２に記載の個人情報記入カードを用いた個人情報管理方法であって、
前記複数の分割片における前記情報記入部の画像情報及び前記識別表示部の画像情報を取得する画像取得ステップと、
前記画像取得ステップにおいて取得された前記識別表示部の画像情報に基づいて前記第１識別情報及び前記第２識別情報を取得する識別情報取得ステップと、
前記情報記入部の画像情報と、該情報記入部が設けられた分割片の識別表示部の画像情報に基づいて取得された前記第１識別情報及び前記第２識別情報とを関連付けて記憶する記憶ステップと、
前記記憶ステップにおいて記憶された前記情報記入部の画像、並びに前記第１識別情報及び前記第２識別情報に基づいて前記個人情報記入部の画像を合成する画像合成ステップと、を備える個人情報管理方法。
【発明の詳細な説明】
【技術分野】
【０００１】
本発明は、個人情報の漏洩を防止できる個人情報記入カード、個人情報管理システム、及び個人情報管理方法に関する。
【背景技術】
【０００２】
クレジットカードの発行時や、商品購入の契約時、電気料金の口座振替の申請時等において、顧客は、自己の個人情報を所定の用紙に記入することが求められる。個人情報が記入された用紙は、送付先職員に直接手渡しする方法や、郵便や宅配便等で郵送する方法により、送付先の会社、機関等に届けられる。しかし、送付先に届くまでの間に、個人情報が記入された用紙を紛失した場合や、用紙が盗難に合った場合に、当該用紙に記載されている個人情報が外部に漏洩してしまうおそれがある。
【０００３】
このような問題を解決するために、例えば、特許文献１において、紙媒体を使用した文書情報伝達において、容易な作業で所定の個人情報のセキュリティを確保することができる技術が開示されている。特許文献１で開示された技術によれば、未記入申請書に対して申請者が個人情報を手書き筆記して、記入済申請書を完成させる。次に、この記入済申請書をスキャナで読み取らせ、印刷プログラムにより、氏名を除いてすべて暗号化後のバーコード化された不可視申請書として印刷する。その結果、不可視申請書は、氏名を除く情報については、人が読める形では印刷されていないため、輸送途中において第三者に個人情報が漏洩するおそれはない。
【先行技術文献】
【特許文献】
【０００４】
【特許文献１】特開２００３−２５６７６２号公報
【発明の概要】
【発明が解決しようとする課題】
【０００５】
しかしながら、特許文献１で開示された技術においては、記入済申請書から不可視申請書に変換するまでの時間的負担と作業負担がある。また、スキャナや印刷プログラムが備えられた処理端末が必須であり、これらの処理端末がない状態では、不可視申請書を印刷することができない。そのため、処理端末が存在する場所まで記入済申請書を持参し移動する必要があるが、その移動中に、記入済申請書を、紛失した場合や、記入済申請書が盗難に合った場合は、依然として当該記入済申請書に記載されている個人情報が外部に漏洩するおそれがある。
【０００６】
本発明は、上記課題を解決するために、個人情報が記入された用紙を紛失した場合や、用紙が盗難にあった場合においても、個人情報の漏洩を防止できる個人情報記入カード、個人情報管理システム、及び個人情報管理方法を提供することを目的とする。
【課題を解決するための手段】
【０００７】
（１）本発明は、複数の部分情報により構成される個人情報が記入される個人情報記入部を有する個人情報記入カードであって、前記個人情報記入部は、該個人情報記入カードを複数の分割片に分割可能な分割部と、前記複数の分割片それぞれに設けられ、それぞれに所定の前記部分情報が記入される複数の情報記入部と、前記複数の分割片それぞれに設けられる複数の識別表示部と、を備え、前記複数の識別表示部それぞれには、該複数の分割片それぞれを互いに関連付ける第１識別情報、及び前記複数の識別表示部それぞれが設けられている前記分割片に記入される前記部分情報の種類を識別する第２識別情報が含まれる個人情報記入カードである。
【０００８】
（１）に記載の個人情報記入カードは、分割片ごとに送付先に送ることができる。そのため、分割片が送付中に紛失した場合や、分割片が盗難にあった場合でも、個人情報の漏洩防止を図れる。また、第１識別情報に基づいて、多数の分割片の中から、同一の個人情報記入カードより分割された複数の分割片を選択し、第２識別情報に基づいて、分割片に記載された部分情報を特定できる。そのため、送付先に大量の分割片が届けられても、適切に個人情報の取得作業を行える。
【０００９】
（２）本発明は、（１）に記載の個人情報記入カードであって、前記複数の識別表示部には、バーコード化された前記第１識別情報及び前記第２識別情報が含まれる個人情報記入カードである。
【００１０】
（２）に記載の個人情報記入カードは、バーコードリーダを用いることにより、容易且つ時間をかけずに、数多くの分割片から、分割前の個人情報記入カードに記載された内容を確認できる。
【００１１】
（３）本発明は、（１）又は（２）に記載の個人情報記入カードを用いた個人情報管理システムであって、前記複数の分割片における前記情報記入部の画像情報及び前記識別表示部の画像情報を取得する画像取得部と、前記画像取得部により取得された前記識別表示部の画像情報に基づいて前記第１識別情報及び前記第２識別情報を取得する識別情報取得部と、前記情報記入部の画像情報と、該情報記入部が設けられた分割片の識別表示部の画像情報に基づいて取得された前記第１識別情報及び前記第２識別情報とを関連付けて記憶する記憶部と、前記記憶部に記憶された前記情報記入部の画像、並びに前記第１識別情報及び前記第２識別情報に基づいて前記個人情報記入部の画像を合成する画像合成部と、を備える個人情報管理システムである。
【００１２】
（３）に記載の個人情報管理システムは、第１識別情報に基づいて、多数の分割片の中から、同一の個人情報記入カードより分割された複数の分割片を選択でき、第２識別情報に基づいて、合成される際に、これら選択された複数の分割片の位置を決定できる。そのため、送付先に大量の分割片が届けられても、適切に個人情報の取得作業を行える。
【００１３】
（４）本発明は、（１）又は（２）に記載の個人情報記入カードを用いた個人情報管理方法であって、前記複数の分割片における前記情報記入部の画像情報及び前記識別表示部の画像情報を取得する画像取得ステップと、前記画像取得ステップにおいて取得された前記識別表示部の画像情報に基づいて前記第１識別情報及び前記第２識別情報を取得する識別情報取得ステップと、前記情報記入部の画像情報と、該情報記入部が設けられた分割片の識別表示部の画像情報に基づいて取得された前記第１識別情報及び前記第２識別情報とを関連付けて記憶する記憶ステップと、前記記憶ステップにおいて記憶された前記情報記入部の画像、並びに前記第１識別情報及び前記第２識別情報に基づいて前記個人情報記入部の画像を合成する画像合成ステップと、を備える個人情報管理方法である。
【００１４】
（４）に記載の個人情報管理方法は、第１識別情報に基づいて、多数の分割片の中から、同一の個人情報記入カードより分割された複数の分割片を選択し、第２識別情報に基づいて、合成される際に、これら選択された複数の分割片の位置を決定できる。そのため、送付先に大量の分割片が届けられても、適切に個人情報の取得作業を行える。
【発明の効果】
【００１５】
本発明の個人情報記入カードは、分割片ごとに送付先に送ることができる。そのため、分割片が送付中に紛失した場合や、分割片が盗難にあった場合でも、個人情報の漏洩防止を図れる。また、第１識別情報に基づいて、多数の分割片の中から、同一の個人情報記入カードより分割された複数の分割片を選択し、第２識別情報に基づいて、分割片に記載された部分情報を特定できる。そのため、送付先に大量の分割片が届けられても、適切に個人情報の取得作業を行える。
【図面の簡単な説明】
【００１６】
【図１】本発明の実施形態に係る個人情報記入カードを示す図である。
【図２】本発明の実施形態に係る個人情報記入カードについて、個人情報を記入後に個人情報記入カードを分割して得られた分割片を示す図である。
【図３】本発明の実施形態に係る個人情報管理システムの全体構成を示す図である。
【図４】本発明の実施形態に係る関連付け情報ＤＢに備えられている関連付け情報管理テーブルを示す図である。
【図５】本発明の実施形態に係る個人情報記入カードの第１識別情報及び第２識別情報に基づいて分割片の画像を合成する流れを示した図である。
【図６】本発明の実施形態に係る個人情報管理方法を示すフロー図である。
【発明を実施するための形態】
【００１７】
以下、本発明の好ましい実施形態について図面を参照しながら説明する。本実施形態の個人情報管理システムは、複数の分割片に分割可能な個人情報記入カードを用いて、当該個人情報記入カードに記入された個人情報を管理するシステムである。
【００１８】
＜個人情報記入カード＞
初めに、本発明の実施形態に係る個人情報記入カードについて説明する。図１は、本発明の実施形態に係る個人情報記入カードを示す図である。また、図２は、本発明の実施形態に係る個人情報記入カードについて、個人情報を記入後に個人情報記入カードを分割して得られた分割片を示す図である。
【００１９】
個人情報記入カード１は、一方の面に複数の部分情報により構成される個人情報が記入される個人情報記入部９を有する。部分情報としては、例えば、個人の氏名、住所、電話番号、メールアドレス、勤務先、所属、内線番号等の個人の所在地等に関わる情報、会社での査定、年収、健康診断結果や履歴、借入状況等の個人の状態や歴史に関わる情報、取引や経営状態、支払い状況等の個人のみならず法人や会社の情報等、主に個人のプライバシーに関する情報が挙げられる。図１に示す個人情報記入カード１において、部分情報は、氏名、住所、生年月日、電話番号、Ｅメールアドレス、及び勤務先を指し、個人情報は、これら６つの部分情報より構成される。
【００２０】
個人情報記入カード１は、分割部２ａ〜２ｃ（以下、分割部２、と記す）、複数の情報記入部１１ａ〜１１ｆ（以下、情報記入部１１、と記す）、及び複数の識別表示部１２ａ〜１２ｆ（以下、識別表示部１２、と記す）を備える。
【００２１】
分割部２は、個人情報記入カード１の所定の位置に形成されたミシン目により構成されている。個人情報記入カード１は、当該分割部２に沿って分割されることにより、複数の分割片１０ａ〜１０ｆ（以下、分割片１０、と記す）に分割可能となる。
【００２２】
分割片１０それぞれには、情報記入部１１と、識別表示部１２と、が設けられる。情報記入部１１には、個人情報を構成する複数の部分情報のうち所定の部分情報が記載される。図１に示す個人情報記入カード１において、情報記入部１１ａには「氏名」、情報記入部１１ｂには「住所」、情報記入部１１ｃには「生年月日」、情報記入部１１ｄには「電話番号」、情報記入部１１ｅには「メールアドレス」、情報記入部１１ｆには「勤務先」、がそれぞれ記載される。
【００２３】
識別表示部１２のそれぞれは、第１識別情報及び第２識別情報を含む。第１識別情報は、個人情報記入カード１から分割された複数の分割片１０それぞれを互いに関連付けるための情報である。同じ個人情報記入カード１から分割された分割片１０が有する第１識別情報は、すべて同一の情報となる。分割片１０の元となった個人情報記入カード１が異なれば、第１識別情報も異なる。
【００２４】
第２識別情報は、識別表示部１２が設けられている分割片１０に記入される部分情報の種類を識別するための情報である。したがって、同じ部分情報が記載された分割片１０が有する第２識別情報は、すべて同一となる。部分情報が異なれば、第２識別情報も異なる。
【００２５】
識別表示部１２には、バーコード化された第１識別情報及び第２識別情報が表示される。バーコードの種類は、特に限定されず、１次元バーコードに限らず、２次元バーコード（ＱＲコード（登録商標））を用いることができる。
【００２６】
＜個人情報管理システム＞
図３は、本発明の実施形態に係る個人情報管理システム１００の全体構成を示す図である。個人情報管理システム１００は、個人情報管理サーバ２０と、読取部としてのスキャナ２１とを備える。
【００２７】
スキャナ２１は、送付先に送られた分割片１０の情報を読み取り、当該情報を、個人情報管理サーバ２０に送る。
【００２８】
個人情報管理サーバ２０は、処理部２２と、記憶部２３と、表示部２４とを備える。処理部２２は、個人情報管理サーバ２０に係る各機能を統括的に制御する。この処理部２２は、本発明に係る各機能として、画像取得部２５と、識別情報取得部２６と、画像合成部２７とを備える。処理部２２は、例えば、ＣＰＵ（Ｃｅｎｔｒａｌ  Ｐｒｏｃｅｓｓｉｎｇ  Ｕｎｉｔ）により構成される。
【００２９】
画像取得部２５は、スキャナ２１で読み取られた複数の分割片１０の情報を、画像情報として取得する。具体的には、画像取得部２５は、分割片１０における情報記入部１１に記入された部分情報の画像情報、及び識別表示部１２に表示された情報の画像情報を取得する。これら画像情報は、分割片１０ごとに画像ファイル形式で取得される。画像ファイル形式としては、例えば、ＧＩＦ、ＪＰＥＧ、ＢＭＰ、ＴＩＦＦ、ＰＮＧ、ＰＮＭ、ＰＳ、ＰＤＦ、ＰＩＣＴ、ＰＳＤ、ＸＢＭ、ＸＰＭ、ＸＷＤ、ＥＰＳ、ＥＰＳＩ、ＩＲＩＳ  ＲＧＢ等の形式が挙げられる。
【００３０】
識別情報取得部２６は、画像取得部２５により取得された識別表示部１２の画像情報に基づいて第１識別情報及び第２識別情報を取得する。具体的には、識別表示部１２に、バーコード化された第１識別情報及び第２識別情報が表示されている場合、識別情報取得部２６は、後述するバーコード読取プログラムに基づいて、識別表示部１２の画像情報から、第１識別情報及び第２識別情報を取得する。識別情報取得部２６で取得された第１識別情報及び第２識別情報は、情報記入部１１の画像情報と関連付けられ、記憶部２３に記憶される（図４参照）。
【００３１】
画像合成部２７は、記憶部２３に記憶された情報記入部１１の画像、並びに第１識別情報及び第２識別情報に基づいて個人情報記入部９の画像を合成する。具体的には、第１識別情報により、多数の分割片１０の中から、同一の個人情報記入カード１より分割された複数の分割片１０が選択される。また、第２識別情報により、これら選択された複数の分割片１０が合成される際の位置が決定される。
【００３２】
表示部２４は、個人情報管理サーバ２０の機能に関する各種情報を表示する。表示部２４は、例えば、画像合成部２７により合成された個人情報記入部９の画像を表示する。表示部２４は、例えば、ディスプレイ等で構成される。なお、表示部２４に表示された合成画像は、紙媒体に印刷することも可能である。
【００３３】
記憶部２３は、個人情報管理サーバ２０として機能させるための各種プログラム（図示せず）、バーコード読取プログラムを含む本発明の各機能を実行するプログラム（図示せず）、及び関連付け情報データベース（以下、データベースをＤＢという）２８を記憶する。関連付け情報ＤＢ２８は、関連付け情報に係るデータとして関連付け情報管理テーブル２９を備える。記憶部２３は、例えば、メインメモリより構成され、補助記憶部として、さらに、ハード・ディスク、半導体メモリ、及び光ディスク・ドライブ等を備えていてもよい。
【００３４】
図４は、本発明の実施形態に係る関連付け情報ＤＢ２８に備えられている関連付け情報管理テーブル２９を示す図である。関連付け情報管理テーブル２９は、画像取得部２５で取得された情報記入部１１の画像情報と、情報記入部１１が設けられた分割片１０の識別表示部１２の画像情報に基づいて識別情報取得部２６で取得された第１識別情報及び第２識別情報とを関連付けたデータである。関連付け情報管理テーブル２９は、画像合成部２７により、個人情報記入部９の画像が合成される場合に参照される。
【００３５】
関連付け情報管理テーブル２９は、情報記入部１１の画像情報として取得された画像ファイルのファイル名を示す「画像ファイル名」フィールドと、分割前の個人情報記入カード１ごとに付与されている第１識別情報（例えば、通し番号）を示す「第１識別情報コード」フィールドと、分割片１０に記入されている部分情報の種類ごとに付与されている第２識別情報を示す「第２識別情報コード」フィールドとが含まれている。関連付け情報管理テーブル２９に示す「第２識別情報コード」は、１＝氏名、２＝住所、３＝生年月日、４＝電話番号、５＝メールアドレス、６＝勤務先、を表している。
【００３６】
関連付け情報管理テーブル２９によれば、「第１識別情報コード」が「１１１」である画像ファイルは、同一の個人情報記入カード１から分割された分割片１０の画像ファイルであることがわかる。さらに、「第２識別情報コード」から、選択された画像ファイルが有する部分情報を特定することができ、合成する際の位置を決定することができる。
【００３７】
＜個人情報管理方法＞
次に、本発明の実施形態に係る個人情報管理方法について説明する。図６は、本発明の実施形態に係る個人情報管理方法を示すフロー図である。ステップＳ１１〜Ｓ１３は、顧客側のステップであり、ステップＳ２１〜Ｓ２７は、送付先でのステップである。
【００３８】
ステップＳ１１では、顧客は、個人情報記入カード１の個人情報記入部９に、自己の個人情報を記入する。ステップＳ１２では、顧客は、個人情報記入カード１を、分割部２に沿って、複数の分割片１０に分割する。ステップＳ１３では、顧客は、複数の分割片１０を分割片１０ごとに送付先へ送付する。送付先へ送付する方法として、例えば、郵送で送付する方法、送付先職員に直接手渡しする方法、ＦＡＸにより送信する方法等が挙げられる。
【００３９】
ステップＳ２１では、スキャナ２１は、顧客より送付先に送られてきた分割片１０の情報を読み取る。ステップＳ２２では、画像取得部２５は、スキャナ２１により読み取られた情報から、分割片１０における情報記入部１１の画像情報を取得する。同様に、ステップＳ２３でも、画像取得部２５は、スキャナ２１により読み取られた情報から、分割片１０における識別表示部１２の画像情報を取得する。
【００４０】
ステップＳ２４では、識別情報取得部２６は、画像取得部２５で取得された識別表示部１２の画像情報に基づいて、第１識別情報を取得する。同様に、ステップＳ２５でも、識別情報取得部２６は、画像取得部２５で取得された識別表示部１２の画像情報に基づいて、第２識別情報を取得する。
【００４１】
ステップＳ２６では、記憶部２３は、画像取得部２５で取得された情報記入部１１の画像情報と、その情報記入部１１が設けられた分割片の識別表示部の画像情報に基づいて、識別情報取得部２６で取得された第１識別情報、及び識別情報取得部２６で取得された第２識別情報とを関連付けて、関連付け情報として記憶する。記憶部２３に記憶される関連付け情報は、図４に示す、関連付け情報管理テーブル２９のような形式で、記憶される。
【００４２】
ステップＳ２７では、画像合成部２７は、記憶された情報記入部１１の画像、並びに第１識別情報及び第２識別情報に基づいて、個人情報記入部９の画像を合成する。ステップＳ２８では、表示部２４は、画像合成部２７で合成された個人情報記入部９の画像を表示する。
【００４３】
図５を用いて、ステップＳ２７からステップＳ２８までの流れの詳細を説明する。図５は、本発明の実施形態に係る個人情報記入部９の画像を合成する流れを示した図である。図５の（ａ）は、図４の関連付け情報管理テーブル２９の第１識別情報コードに基づいて、多数の分割片１０の中から、同一の個人情報記入カード１より分割された複数の分割片１０が選択された状況を示している。その後、（ｂ）に示すように、これら選択された複数の分割片１０は、図４の関連付け情報管理テーブル２９の第２識別情報コードに基づいて、合成される際の位置が決定される。そして、（ｃ）に示すように、合成された画像は、表示部２４に表示される。
【００４４】
以上の個人情報記入カード１、個人情報記入カード１を用いた個人情報管理システム１００、及び個人情報記入カード１を用いた個人情報管理方法によれば、以下のような効果を奏する。
【００４５】
本発明の個人情報記入カード１は、分割部２を設けて複数の分割片１０に分割可能な構成にした。これにより、分割片１０ごとに送付先に送ることができる。そのため、分割片が送付中に紛失した場合や、分割片が盗難にあった場合でも、個人情報の漏洩防止を図れる。
また、分割片１０それぞれには、情報記入部１１と、第１識別情報及び第２識別情報を含む識別表示部１２を備える構成にした。これにより、第１識別情報に基づいて、多数の分割片１０の中から、同一の個人情報記入カード１より分割された複数の分割片１０を選択し、第２識別情報に基づいて、分割片１０に記載された部分情報を特定できる。そのため、送付先に大量の分割片が届けられても、適切に個人情報の取得作業を行える。
【００４６】
さらに、識別表示部１２に、バーコード化した第１識別情報及び第２識別情報を表示した。これにより、バーコードリーダを用いて、容易且つ時間をかけずに、数多くの分割片から、分割前の個人情報記入カードに記載された内容を確認できる。
【００４７】
本発明の個人情報管理システム１００は、画像取得部２５、識別情報取得部２６、画像合成部２７を備える処理部２２と、関連付け情報ＤＢ２８を備える記憶部２３と、を備える構成にした。これにより、第１識別情報に基づいて、多数の分割片１０の中から、同一の個人情報記入カード１より分割された複数の分割片１０を選択でき、第２識別情報に基づいて、合成する際に、これら選択された複数の分割片１０の位置を決定できる。そのため、送付先に大量の分割片が届けられても、適切に個人情報の取得作業を行える。
【００４８】
本発明の個人情報管理方法は、画像取得ステップと、識別情報取得ステップと、記憶ステップと、画像合成ステップと、を備える構成にした。これにより、第１識別情報に基づいて、多数の分割片１０の中から、同一の個人情報記入カード１より分割された複数の分割片１０を選択し、第２識別情報に基づいて、合成する際に、これら選択された複数の分割片１０の位置を決定できる。そのため、送付先に大量の分割片が届けられても、適切に個人情報の取得作業を行える。
【００４９】
以上、本発明の実施形態について説明したが、本発明は上述した実施形態に制限されることなく種々の形態で実施できる。例えば、図１において、個人情報記入カード１の分割部２は、３本の直線により構成している。しかし、分割部２の本数及び形状（直線若しくは曲線）は、部分情報の個数、及び情報記入部の位置によって左右されるため、分割部２の本数及び形状等は、限定されない。また、分割部２は、当該分割部の位置が容易に視認できるようにするため、印字されていてもよい。
【符号の説明】
【００５０】
１  個人情報記入カード
２、２ａ、２ｂ、２ｃ  分割部
９  個人情報記入部
１０、１０ａ、１０ｂ、１０ｃ、１０ｄ、１０ｅ、１０ｆ  分割片
１１、１１ａ、１１ｂ、１１ｃ、１１ｄ、１１ｅ、１１ｆ  情報記入部
１２、１２ａ、１２ｂ、１２ｃ、１２ｄ、１２ｅ、１２ｆ  識別表示部
２０  個人情報管理サーバ
２１  スキャナ
２２  処理部
２３  記憶部
２４  表示部
２５  画像取得部
２６  識別情報取得部
２７  画像合成部
２８  関連付け情報ＤＢ
２９  関連付け情報管理テーブル
１００  個人情報管理システム
【図１】
2010211260.tif 000003
【図２】
2010211260.tif 000004
【図３】
2010211260.tif 000005
【図４】
2010211260.tif 000006
【図５】
2010211260.tif 000007
【図６】
2010211260.tif 000008